(57)【要約】【課題】商品の識別子をＰＯＳ端末に接続されたバーコードリーダ等が読み取り、相互の接触を避けるべき温度差の大きい商品や他の商品の圧迫等により損傷が予想される商品を検出した場合、商品の袋詰めにおける注意を促すための表示を行う。【解決手段】商品の識別子をバーコードリーダ等が読み取る際に、商品属性テーブルを参照し、一群の商品の中に互いに所定の排他商品属性を持つ商品があれば、ＰＯＳ端末のディスプレイに注意を喚起するための表示、更には音声による注意、レシートへの注意書き印刷を行う。【選択図】図１
2005174034.tif 000002
【特許請求の範囲】
【請求項１】
商品を分別する商品属性と排他商品属性とを、商品を特定する識別子に対応付けた商品属性テーブルと、
前記識別子を付された一群の商品において、ＰＯＳ端末によって先に前記識別子を読み取られた第１の商品に対し、後に前記識別子を読み取られた第２の商品が所定の排他商品属性を有するかどうかを判断する手段とを有し、
前記ＰＯＳ端末によって先に前記識別子を読み取られた第１の商品に対し、後に前記識別子を読み取られた第２の商品が所定の排他商品属性を有すると判断した場合、注意を喚起する表示を行うことを特徴とするＰＯＳ装置。
【請求項２】
請求項１において、さらに、ＰＯＳ端末から注意を喚起する表示を付したレシートを発行することを特徴とするＰＯＳ装置。
【請求項３】
商品を特定する識別子を付された一群の商品のうち、ＰＯＳ端末によって先に前記識別子を読み取られた第１の商品に対して後に前記識別子を読み取られた第２の商品が、所定の排他商品属性を有するかどうかを判定するステップと、
前記所定の排他商品属性を有すると判定した場合、注意を喚起する表示を行うステップと、
を有する商品の分別ガイダンス表示方法。
【請求項４】
請求項３において、さらに、ＰＯＳ端末から注意を喚起する表示を付したレシートを発行するステップを有する商品の分別ガイダンス表示方法。
【請求項５】
ＰＯＳ装置に、
商品を特定する識別子を付された一群の商品のうち、ＰＯＳ端末によって先に前記識別子を読み取られた第１の商品に対して後に前記識別子を読み取られた第２の商品が所定の排他商品属性を有するかどうかを判定させる機能と、
前記所定の排他商品属性を有すると判定された場合、注意を喚起する表示機能と、
を実現させるためのプログラム。
【発明の詳細な説明】
【技術分野】
【０００１】
本発明は、ＰＯＳ装置を使用した販売店のＰＯＳ端末における商品の分別に関わる。
【背景技術】
【０００２】
ＰＯＳ装置を使用した販売店においては、商品に付けられた（包装されていない商品に直接、あるいは、包装されている商品の包装に付されたという意味に用いる。以下同様）バーコード、磁気記録媒体、無線ＩＣチップ等から、商品コードなどの商品を特定する識別子をバーコード・リーダ等により読み取り、読み取った情報データをコンピュータに通知し、商品の販売数や売筋商品をリアルタイムに集計及び分析可能にしている。
【０００３】
大規模店舗においては、バーコードリーダが接続された複数のキャッシュレジスタがオンラインでコンピュータと結ばれており、売買の情報はネットワークを経由して中央のコンピュータに通知される。また、小規模店舗においては、売買情報をＰＯＳ機能を持つレジスタに一定時間記録しておき、その後情報をコンピュータに送信する。
【０００４】
このようなＰＯＳ装置を利用すると、売筋商品の早期認知や不良在庫の低減を行ないやすく、効率的な在庫管理が可能になる。
【０００５】
スーパーマーケット等において、商品は、例えば、購入を行う消費者に対し、買い上げ商品の料金支払い時に、ＰＯＳ端末に接続されたバーコードリーダにより商品に付けられたバーコードを読み取り、読み取りの終了した商品は袋詰めされる。
【０００６】
ここで、冷凍品と加熱された温かい商品のように温度差の大きい食品、パンのように柔らかい或いは袋入りのせんべいのような壊れやすい商品と缶詰のように外面の硬い商品が混在したとき、店のレジ係等は相互に接触をさせずに離して袋詰めにしたり、袋を別々にしたりしている。
【０００７】
店のレジ係等は、冷凍品は一纏めにして袋を別にしたり、また、他の商品の圧迫による損傷がないようにといったこと注意をしながら袋詰めを行っているが、不慣れ、不注意等により分別の判断を誤ってしまうこともある。
【０００８】
このような問題を解決する１つの公知の技術として、例えば、特開昭６１−２９０５９２号公報に開示されているように、スーパーマーケット等のキャッシュレジスタにおいて入力した商品を分類別にソートして表示することにより、分類毎の袋詰めを容易にしたものが知られている。前記の技術は、水の滴る鮮魚、芳香剤、野菜等、まとめて袋詰めがしにくい商品を分別して袋詰めするには効果的であるが、分別して袋詰めした後、店のレジ係等あるいは商品を買い上げた消費者が大きい袋に一纏めにするケースも多く、温度差の大きいアイスクリームや刺身等の冷凍品と揚げたての惣菜等の加熱品や、パン等の柔らかい食品を別々に袋詰めしても、別々に袋詰めされた商品の接触、さらには、これらを一纏めに袋詰めしたときの接触や他の商品の圧迫により、消費者が持帰るまでに商品が損傷するおそれがある。
【特許文献１】特開昭６１−２９０５９２号公報
【発明の開示】
【発明が解決しようとする課題】
【０００９】
本発明は上記のような問題を解決するためのもので、店舗のＰＯＳ端末が置かれた料金支払いカウンタ等において相互の接触を避けるべき温度差の大きい商品や他の商品の圧迫等により損傷が予想される商品の識別子をＰＯＳ端末に接続されたバーコードリーダ等が読み取ったとき、ＰＯＳ端末のディスプレイに注意を喚起するための表示、更には音声で通知して袋詰めや梱包時の注意を喚起し、また、消費者自身が袋詰めする場合、買い上げレシートを見ることにより注意が喚起されるようにする。
【課題を解決するための手段】
【００１０】
本願の請求項１に記載の発明は、商品を分別する商品属性と排他商品属性とを、商品を特定する識別子に対応付けた商品属性テーブルと、前記識別子を付された一群の商品において、ＰＯＳ端末によって先に前記識別子を読み取られた第１の商品に対し、後に前記識別子を読み取られた第２の商品が所定の排他商品属性を有するかどうかを判断する手段とを有し、前記ＰＯＳ端末によって先に前記識別子を読み取られた第１の商品に対し、後に前記識別子を読み取られた第２の商品が所定の排他商品属性を有すると判断した場合、注意を喚起する表示を行うことを特徴とするＰＯＳ装置である。
【００１１】
本願の請求項１に記載の発明によれば、例えば、従来よりＰＯＳ装置が有するＰＬＵ(Price Look-up)テーブルと共に、商品を分別する情報として、商品の識別コードと対応づけられた所定の商品に所定の商品属性及び排他商品属性を付したテーブル（以下、商品属性テーブルと呼ぶ）を有し、ＰＯＳ装置を構成するＰＯＳ端末に接続されたバーコードリーダにより一群の商品、すなわち、各消費者が購入して支払いを行う一まとめの商品を一群として、各商品に付された商品の識別子、例えば、バーコードが読み取られ、商品毎に商品属性テーブルを参照してバーコードを読み取られる商品が商品属性及び排他商品属性を付された商品か否か、また、付されているとすれば、どのような商品属性あるいは排他商品属性が付されているかを検出して結果を一時記憶し、順次バーコードが読み込まれる商品が先にバーコードが読み込まれた商品に対して排他商品属性を持つ商品であることが検出されたとき、前記ＰＯＳ端末に取り付けられているブザーを鳴らしてレジスタ操作者に警告を発したり、前記ＰＯＳ端末の表示画面に注意書きを表示し、互いの排他商品属性をもった商品同士が同じ袋に入れられないように注意を喚起する。
【００１２】
ここで、第１の商品と第２の商品は連続してそれぞれの識別子を読み取られても、あるいは、連続して読み取られずに両者の間に他の商品の識別子が読み取られても構わない。要は、識別子が読み取られる一群の商品の中における商品において、第２の商品の識別子は第１の商品の識別子の後に読み込まれるということである。
【００１３】
また、商品分別のための商品属性テーブルは、他のＰＯＳ装置に必要なテーブルの中に書き込まれたものであっても、独立したテーブルであっても構わない。さらに、識別子を付された一群の商品について、識別子は、商品に付けられたバーコードに記されたものであってバーコードリーダにより認識されるものでも、あるいは、バーコード以外の例えば、無線タグが付され、外部から無線タグのリーダにより、読み出すものであっても構わない。
【００１４】
さらに、例えば、各消費者が購入する商品を一群として、各商品に付されたバーコードが読み取られ、商品属性テーブルを参照してバーコードを読み取られた商品が商品属性及び排他商品属性を付された商品か否かを検出し、所定の商品属性だけが付されていて排他商品属性が付されていない商品であった場合には、前記ＰＯＳ端末に取り付けられているブザー等を鳴らしてレジ係等（レジスターを操作し精算処理をする係員、あるいは、レジスターにより精算処理が済んだ商品を梱包あるいは袋詰めする係員。以下同様）に警告を発したり、前記ＰＯＳ端末の表示画面に排他商品属性をもった商品である旨の注意書きを表示してもよい。これにより、所定の商品属性が付されているが排他商品属性の付されていない商品であって、互いに排他商品属性をもった商品でなくとも、特に注意を喚起したい商品である場合にも表示がなされる。
【００１５】
また、本願の請求項２に記載の発明は、請求項１において、さらに、ＰＯＳ端末から注意を喚起する表示を付したレシートを発行することを特徴とするＰＯＳ装置である。
【００１６】
本願の請求項２に記載の発明によれば、ＰＯＳ端末からは、レジ係等に対して消費者に渡す商品のうち、分別が必要な、予め指定された互いに排他商品属性を有する商品を、同じ袋に袋詰めしない注意を喚起する表示が発せられる他に、消費者に渡されるレシートにも、注意を喚起する表示がされるようになっている。
【００１７】
また、本願の請求項３に記載の発明は、商品を特定する識別子を付された一群の商品のうち、ＰＯＳ端末によって先に前記識別子を読み取られた第１の商品に対して後に前記識別子を読み取られた第２の商品が、所定の排他商品属性を有するかどうかを判定するステップと、前記所定の排他商品属性を有すると判定した場合、注意を喚起する表示を行うステップとを有する商品の分別ガイダンス表示方法である。
【００１８】
本願の請求項３の発明によれば、例えば、従来よりＰＯＳ装置が有するＰＬＵテーブルと共に、商品を分別する情報として、商品の識別コードと対応づけられた所定の商品に所定の商品属性及び排他商品属性を付した商品属性テーブルテーブルを有し、ＰＯＳ装置を構成するＰＯＳ端末に接続されたバーコードリーダ等により一群の商品、すなわち、各消費者が購入する商品を一群として、各商品に付されたバーコードが読み取られ、商品属性テーブルを参照してバーコードを読み取られる商品が商品属性及び排他商品属性を付された商品か否か、また、付されているとすれば、どのような商品属性あるいは排他商品属性が付されているかを検出して結果を一時記憶し、順次バーコードが読み込まれる商品が先にバーコードが読み込まれた商品に対して排他商品属性を持つ商品であることが検出されたとき、所定の排他商品属性を有すると判定し、前記ＰＯＳ端末に取り付けられているブザー等を鳴らしてレジ係等に警告を発したり、前記ＰＯＳ端末の表示画面に注意書きを表示し、互いに排他商品属性をもった商品どうしが同じ袋に入れられないように注意を喚起する商品の分別ガイダンス表示方法である。
【００１９】
さらに、例えば、各消費者が購入する商品を一群として、各商品に付されたバーコードが読み取られ、商品属性テーブルを参照してバーコードを読み取られた商品が所定の商品属性を付された商品か否かを検出し、所定の商品属性を付された商品であった場合には、前記ＰＯＳ端末に取り付けられているブザー等を鳴らして警告を発したり、前記ＰＯＳ端末の表示画面に注意書きを表示し、所定の商品属性をもった商品である旨の注意書きを表示してもよい。
【００２０】
また、本願の請求項４に記載の発明は、請求項３において、さらに、ＰＯＳ端末から注意を喚起する表示を付したレシートを発行するステップを有する商品の分別ガイダンス表示方法である。
【００２１】
本願の請求項４に記載の発明によれば、ＰＯＳ端末からは、レジ係等に対して消費者に渡す商品のうち、分別が必要な、所定の、互いに排他商品属性を有する商品を、同じ袋に袋詰めしない注意を喚起する表示が発せられる他に、消費者に渡されるレシートにも、注意を喚起する表示がされるようになっている。
【００２２】
また、本願の請求項５に記載の発明は、ＰＯＳ装置に、商品を特定する識別子を付された一群の商品のうち、ＰＯＳ端末によって先に前記識別子を読み取られた第１の商品に対して後に前記識別子を読み取られた第２の商品が所定の排他商品属性を有するかどうかを判定させる機能と、前記所定の排他商品属性を有すると判定された場合、注意を喚起する表示機能とを実現させるためのプログラムである。
【００２３】
本願の請求項５に記載の発明によれば、前記プログラムは、例えば、ＰＯＳ装置の本体処理装置が有する内蔵ハードディスクにインストールされており、商品を特定する識別子を付された一群の商品に付されたバーコードあるいは無線タグが、ＰＯＳ端末に接続されたバーコードリーダあるいは無線タグのリーダにより順次読み取られ、本体処理装置に商品属性テーブルを参照して、先に前記識別子が読み取られた第１の商品に対して後に前記識別子を読み取られた第２の商品が互いに所定の排他商品属性を有するかどうかを検出させ、検出した場合には、所定の排他商品属性を有すると判定させる機能と、前記所定の排他商品属性を有すると判定した場合、注意を喚起する表示をさせる機能とを実現させるためのプログラムである。
【００２４】
また、前記プログラムは、ＰＯＳ端末からは、レジ係等に対して消費者に渡す商品のうち、分別が必要な、予め指定された互いに排他商品属性を有する商品を、同じ袋に袋詰めしない注意を喚起する表示が発せられるが、さらに、消費者に渡されるレシートにも、注意を喚起する表示がされるようにしても勿論構わない。これにより、商品を持ち帰る消費者にとってもレシート印字された注意を喚起する表示により、確実に商品の分別の確認を行えるようになっている。
【発明の効果】
【００２５】
本発明によれば、商品の分別が必要な梱包や袋詰めに際し、レジ係の不慣れ等により不適切に行われてしまうのを、ＰＯＳ装置からの注意を喚起する表示により防ぐことができる。さらに、商品を購入した消費者にとってはＰＯＳ装置から発行されたレシートに印刷された注意を喚起する表示を見ることにより、不具合を防ぐことができる。
【発明を実施するための最良の形態】
【００２６】
図１は、本発明のＰＯＳ装置を示す装置構成例である。ＰＯＳ装置の本体処理装置１はＣＰＵをはじめ、メモリ、内蔵ハードディスク、各種インタフェース・ユニット、電源等（図示省略）を含んでいる。
【００２７】
本体処理装置１内の内蔵ハードディスク（図示省略）には、ＰＯＳ装置のシステム・ソフトウェアほか必要なアプリケーション・ソフトウェアがインストールされている。
【００２８】
外部ハードディスク２は、従来のＰＯＳシステムに必要なデータベースを構成する各種のテーブル、例えば、ＰＬＵテーブル３を保持し、さらに、本発明に必要な商品分別のための商品属性と排他商品属性とを商品を特定する識別子に対応付けたテーブルである商品属性テーブル４を保持している。
【００２９】
ＰＯＳ端末５は、表示画面６、キーボード７、商品に付されているバーコードを読み取るスキャナ８、レシートを打ち出すレシートプリンタ部９から構成されている。
【００３０】
さらに、図１には省略されているが、ＰＯＳ端末から注意を喚起する音声を発生させるための音声発生ユニット、例えば、ブザーがＰＯＳ端末５に内蔵されているか、あるいは、ＰＯＳ端末５に接続された外付けのブザーが存在する。
【００３１】
本体処理装置１と外部ハードディスク２は専属ケーブルにより接続され、本体処理装置１とＰＯＳ端末５はＬＡＮケーブル１１によって接続されＰＯＳ装置を構成している。
【００３２】
通常、複数のＰＯＳ端末５が本体処理装置１に接続されているが、本体処理装置１がＰＯＳ端末５に内蔵されている構成であっても構わない。
【００３３】
ここで、商品属性テーブル４について説明する。
【００３４】
商品属性テーブル４は、例えば、図３に示すように、商品の識別子を示すスキャンコードをキーに商品名、商品属性、排他商品属性の各項目より成っている。商品属性は予め決められた属性、冷、暖、柔等の商品を梱包または袋詰めする場合に注意を要する区分を示す。冷は、冷蔵（または冷凍。以下同様）が必要となる食品等を示す商品、暖は、揚げたての惣菜等の加熱品等を示す商品、そして、柔は、パンのように柔らかな商品であることを示す商品属性である。この他に、袋詰めされた薄いポテトチップスのように壊れやすいもの、熟したイチゴ、ぶどう等の果物のうち特につぶれやすいものに対しても商品属性を設けることができる。排他商品属性は商品属性の冷、暖に対してそれぞれ暖、冷と予め決めておく。ここでは、柔に対しては排他商品属性を決めていない。商品属性テーブル３は、例えば、ＰＬＵテーブル３の中に実質的に存在していてもよい。
【００３５】
ここで、商品属性テーブル４において、例えば、商品名がアイスクリームの商品属性の欄には冷という商品属性が記載されており、排他商品属性の欄には暖という商品属性が記載されている。また、例えば、商品名の柔らか食パンの商品属性の欄には柔という商品属性が記載されているが、排他商品属性の欄には対応する商品属性が記載されていない。もちろん、予め商品属性が柔に対して剛という商品属性を予め決めておいた場合には、商品名の柔らか食パンの排他商品属性の欄には剛という商品属性が記載されるのであろうが、この例ではあえて剛という商品属性を決めていない。
【００３６】
このように、商品属性テーブル４の商品属性、排他商品属性の欄には、該当する予め決められた商品属性あるいは排他商品属性がある場合には商品属性、排他商品属性を、また、該当する商品属性が無い場合、すなわち、梱包あるいは袋詰めに際して気をつける必要のない商品には商品属性を付けずに、表中では−の印を付してある。
【実施例１】
【００３７】
以下に、本発明の実施例を示す。
【００３８】
図２は、本発明のフローチャート例である。スーパーマーケット等で消費者が選んだ商品にはバーコード（図示省略）が印刷あるいは添付されており、代金精算のためＰＯＳ端末の設置されているカウンタにこれらの商品が置かれると、これらの商品は消費者毎に一群の商品として見なされ、商品個々にバーコードが図１のスキャナ８により読み取られる（Ｓ２０１）。
【００３９】
バーコードには商品を識別する識別子、例えば、スキャンコードが含まれており、読み取られたデータは、いったん図１に示すＰＯＳ端末５の内部にあるメモリ（図示省略）に保持され、本体処理装置１により外部ハードディスク２に記録されているＰＬＵテーブル３を参照してスキャンコードをキーとして該当商品の価格を探し、ＰＯＳ端末に回答される。ＰＬＵテーブル３は外部ハードディスク２の中に記憶されていても、他に、本体処理装置１が内蔵するメモリ（図示省略）に記憶されていても、また、ＰＯＳ端末５の内部のメモリ（図示省略）に記憶されていても構わない。
【００４０】
本発明においては、上記のＰＬＵテーブル３を参照して商品の価格情報を取得する他に、本体処理装置１に対し、商品属性テーブル４を参照して商品属性が付けられているかどうかが問い合わされる（Ｓ２０２）。商品属性テーブルの例を図３に示す。
【００４１】
バーコードを読み取られた商品が、図３の中で商品名が「サンマ」であったとすると、商品属性が「−」と記され、商品属性は無しであるため、この商品のデータは、スキャンデータ（商品に付けられたバーコードから読み取られたデータ。以下同様）としてＰＯＳ端末５のメモリ（図示省略）に格納される（Ｓ２０７）。
【００４２】
バーコードを読み取られた商品が、図３の中で商品名が「柔らかパン」であったとすると、商品属性が「柔」と付けられているので、つぎに、図３に示す商品属性テーブル中に排他商品属性が付けられているかどうかが問い合わされる（Ｓ２０３）。排他商品属性が付けられていないので、外部ハードディスク２に記憶されている図５に示すメッセージ・テーブルが参照され、商品属性が「柔」の場合のオペレータ向けメッセージである「潰れないように・・・」が本体処理装置１によって選択されてＰＯＳ端末５の表示画面６には図７に示す画面例２のメッセージが表示される。また、ＰＯＳ端末５に内蔵され、あるいは、外付けされたブザー（図示省略）により警告音が発せられる（Ｓ２０４）。ここで、前記「柔らかパン」のスキャンデータは、ＰＯＳ端末５のメモリ（図示省略）に格納される（Ｓ２０７）。
【００４３】
バーコードを読み取られた商品が、図３の中で商品名が「熱々てんぷら」であったとすると、商品属性は「暖」であり（Ｓ２０２）、さらに排他商品属性は「冷」と決められているため（Ｓ２０３）、商品属性が「冷」と決められた商品が排他商品属性をもつ商品である。ここで、上記の商品名「熱々てんぷら」のバーコードを読み取る前に、一群の商品の中の既にバーコードが読みとられた商品の中に、商品属性が「冷」と決められた商品が無ければ、そのまま、上記の商品名「熱々てんぷら」のスキャンデータは、ＰＯＳ端末５のメモリ（図示省略）に格納される（Ｓ２０７）。しかし、上記の商品名「熱々てんぷら」のバーコードを読み取る前に、一群の商品の中の既にバーコードが読みとられた商品の中に、商品属性が「冷」と決められた商品があった場合、例えば、図３の中で商品名が「アイスクリーム」、「刺身」なる商品が存在していた場合には、外部ハードディスク２に記憶されている図５に示すメッセージ・テーブルが参照され、商品属性が「暖」の場合のオペレータ向けメッセージである「冷蔵品との接触を避けて・・・」が本体処理装置１によって選択されてＰＯＳ端末５の表示画面６には図６に示す画面例１のメッセージが表示され、さらに、ＰＯＳ端末５に内蔵されているか又は、外付けされたブザー（図示省略）により警告音が発せられる（Ｓ２０６）。ここで、前記「熱々てんぷら」のスキャンデータは、ＰＯＳ端末５のメモリ（図示省略）に格納される（Ｓ２０７）。
【００４４】
上記のように、一群の商品の各スキャンデータはすべて、ＰＯＳ端末５のメモリに記憶される。スキャンすべき商品が無くなりスキャンが完了した場合には（Ｓ２０８）、次に、一群の商品の中に分別に注意すべき商品の有無を含めてスキャンデータの編集が本体処理装置１あるいはＰＯＳ端末５によって行われ（Ｓ２１０）、引き続き、ＰＯＳ端末５のレシートプリンタ部９においてスキャンデータのレシート印字が行われ、図８に示すレシート印字例の内容のレシート（図１におけるレシート１０）がプリントアウトされる（Ｓ２１１）。
【００４５】
以上のように、本発明では梱包あるいは袋詰めする際に、冷凍品と加熱品のように温度差の大きい食品、パンのように柔らかい食品が混在した場合に、相互の接触や他の商品の圧迫による損傷を防止するため、レジ係や消費者に注意を喚起し、商品を互いに離すか、梱包あるいは袋詰めを別々の単位で行うように注意を喚起する。レジ係に対してはＰＯＳ端末画面へ注意を喚起するメッセージと警告音で、また、消費者にはレシートにその旨の表示を行う。消費者は、レジ係や袋詰め係が別々に袋詰めした袋を持ち帰るに際して、纏めるには問題のある商品の内容を、受け取ったレシートの注意表示を見て確認できる。
【図面の簡単な説明】
【００４６】
【図１】は本発明の装置構成例である。
【図２】は本発明のフーチャート例である。
【図３】は商品属性テーブルである。
【図４】はスキャン・データ・テーブルである。
【図５】はメッセージ・テーブルである。
【図６】は画面例１である。
【図７】は画面例２である。
【図８】はレシート印字例である。
【符号の説明】
【００４７】
１      本体処理装置  
２      外部ハードディスク      
３      ＰＬＵテーブル
４      商品属性テーブル
５      ＰＯＳ端末
６      表示画面
７      キーボード
８      スキャナ
９      レシートプリンタ部
１０    レシート
１１    ＬＡＮケーブル
【図１】
2005174034.tif 000003
【図２】
2005174034.tif 000004
【図３】
2005174034.tif 000005
【図４】
2005174034.tif 000006
【図５】
2005174034.tif 000007
【図６】
2005174034.tif 000008
【図７】
2005174034.tif 000009
【図８】
2005174034.tif 000010